(57)【特許請求の範囲】
【請求項１】
時計筐体内にオルゴールを収納したオルゴール付時計において、
前記オルゴールを取り付ける共鳴板と、
該共鳴板上に設けられた共鳴室と、を具備し、
前記時計筐体に設けられた音孔に対向させて前記共鳴室を位置付け、前記共鳴板は、前記オルゴールからの振動を良好に伝える板目を有し、該板目により前記共鳴室内に振動を伝えることを特徴とするオルゴール付時計。
【請求項２】
前記共鳴室は、前記共鳴板の板目と同一又は連続する方向に板目を有することを特徴とする請求項１記載のオルゴール付時計。
【発明の詳細な説明】
【０００１】
【発明の属する技術分野】
本発明は、オルゴールを内蔵したオルゴール付時計に関するものであり、特に、オルゴールが発する音の音質と音圧を高めたものに関する。
【０００２】
【従来の技術】
一般にオルゴールは、木製の板等に取り付けられており、その板部材が共鳴することにより音質及び音圧が高まるものである。このようにオルゴールの音質、音圧を高める部材としては、上記のような板部材だけでなく、特開平１０−１４９１５６号公報に開示されているような筐体も使用されていた。
【０００３】
上記のような板部材や筐体にオルゴールを取り付けることによりユニット化し、このようなオルゴールユニットが、特開平１０−２３９４５５号公報に開示されているように、時計筐体の内部に収納されていた。
【０００４】
【発明が解決しようとする課題】
上記従来技術における時計のように、掛け時計やホールクロックのような大型の時計の場合、オルゴールを時計筐体内に収納することは容易であり、また、その音質及び音圧を高めるため、共鳴する板部材や筐体を大きくすることも可能である。しかしながら、目覚し時計等の比較的小さい時計においては、時計筐体内部のスペースに制約があるため、あまり大きいオルゴールユニットを収納することはできない。従って、筐体からなる共鳴部材では大き過ぎるため、一枚の板部材を共鳴部材として使用しなければならなかった。このように一枚の小さな板部材を使用して、目覚し時計としてしよう可能な音量を確保することは困難であり、大型化することなくオルゴールが発する音の音圧を高めることが求められていた。
【０００５】
本発明は、上記従来技術の課題に鑑みなされたもので、小型でしかも音圧を高めたオルゴール付時計を提供するものである。
【０００６】
【課題を解決するための手段】
本発明のオルゴール付時計は、時計筐体内にオルゴールを収納したオルゴール付時計において、前記オルゴールを取り付ける共鳴板と、該共鳴板上に設けられた共鳴室と、を具備し、前記時計筐体に設けられた音孔に対向させて前記共鳴室を位置付けてなるものである。
【０００７】
また、上記オルゴール付時計における前記共鳴板は、前記オルゴールからの振動を良好に伝える板目を有し、該板目により前記共鳴室内に振動を伝えるものとなっている。
【０００８】
更に、上記オルゴール付時計における前記共鳴室は、前記共鳴板の板目と同一又は連続する方向に板目を有するものとなっている。
【０００９】
【発明の実施の形態】
本発明のオルゴール付時計においては、オルゴールを共鳴板に取り付け、その共鳴板に共鳴室を設けてユニット化し、このようなオルゴールユニットを時計筐体内に収納している。また、このオルゴールユニットを時計筐体内に収納する際に、その共鳴室を時計筐体の音孔に対向させて位置付けている。
【００１０】
上記構成からなる本発明のオルゴール付時計においては、共鳴板による音の共鳴拡声により音圧が高められ、その共鳴室が共鳴することにより更に音圧が高められる。このように共鳴拡声されたオルゴールの音は、時計筐体の音孔から放音されるが、その際に、音孔に対向するように共鳴室が位置しているため、共鳴室からの音が直接音孔から放音されることになる。このようにして時計筐体の音孔から放音された音の音圧は、目覚し時計のアラーム音として使用可能な程度まで高められる。
【００１１】
上記のように、共鳴板と共鳴室の両方を備え、更に共鳴室を音孔に対向するように位置付けることにより、共鳴板や共鳴室を大型化することなく高い音圧の音を得ることが可能となる。
【００１２】
【実施例】
以下、図面に基いて本発明の実施例を説明する。図１は本発明の一実施例に係るオルゴール付時計の要部拡大断面図、図２は図１におけるオルゴール付時計の外観斜視図、図３は図１に示すオルゴールユニットの背面図である。また、図４は図１に示す共鳴板と共鳴室の正面図、図５はその底面図、図６は縦断面図である。
【００１３】
図２において、２は時計筐体であり、その前面に時刻表示部４が設けられ、側面に後述するオルゴールからの音を放音するスリット状の音孔６が設けられている。この時計筐体２の内部には、時刻表示部４を駆動するムーブメント８と、オルゴールユニット１０が収納されている。
【００１４】
図１及び図３に示すように、このオルゴールユニット１０は、オルゴール１２、共鳴板１４及び共鳴室１６を備えている。オルゴール１２は、基板１２ａ上に設けられた音階板１２ｂを、モータ１２ｃにより回転駆動されるドラム１２ｄの周面に設けられた突起で弾くことにより音を発生するものを使用している。尚、モータ１２ｃは、ムーブメント８に設けられた目安機構からのアラーム信号あるいは共鳴板１４に固定されたフレーム１８上に設けられたモニタースイッチ２０の操作に応答して一定時間作動するものとなっている。また、本実施例におけるオルゴール１２は、ドラム１２ｄの回転を利用して装飾体２２（図２）を回転させるためドラム１２ｄの軸に回転駆動軸２４が取り付けられている。
【００１５】
図４乃至図６に示すように、共鳴板１４は、一枚の木製の板材からなり、その板目１４ａが長手方向（図４中上下方向）を向くように構成されている。本実施例においては、この共鳴板１４の背面１４ｂの略中央にオルゴール１２の基板１２ａが固定されており、音階板１２ｂからの振動が基板１２ａを介して伝わるように構成されている。
【００１６】
また、共鳴室１６は、共鳴板１４の一端（図６中上端）から略中央付近にかけて形成されており、この共鳴板１４に一定の間隔をもって対向する正面板１６ａと、共鳴板１４の長手方向の一端（図６中上端）とこれに対応する正面板１６ａの一端との間に設けられた端面板１６ｂと、共鳴板１４の短手方向の両端（図５中左右端）とこれに対応する正面板１６ａの側方の両端との間にそれぞれ設けられた側端面板１６ｃと、により構成されている。尚、この正面板１６ａ、端面板１６ｂ及び側端面板１６ｃはそれぞれ木製の板材からなるものである。本実施例における共鳴室１６は、上記構成からなるため、図６中下方が開口するものとなっている。
【００１７】
一般に板材においては、その板目の方向に振動が伝わり易く、前述した共鳴板１４の板目１４ａは、共鳴室１６の開口部１６ｅからその内部に延伸するように形成されている。また、共鳴室１６を形成する正面板１６ａ及び側端面板１６ｃの板目１６ｆ，１６ｇは、共鳴板１４の板目１４ａに対して平行になるように形成されており、端面板１６ｂの板目１６ｈは、共鳴板１４の板目１４ａに対して連続するように垂直に形成されている。
【００１８】
上記構成からなるオルゴールユニット１０は、図１及び図２に示すように、その共鳴室１６が時計筐体２の音孔６に正面板１６ａが対向するように近付けられて位置付けられている。
【００１９】
上記本実施例のオルゴール付時計において、オルゴール１２の音階板１２ｂがドラム１２ｄの突起により弾かれることにより生じる振動は、基板１２ａを介して共鳴板１４に伝わる。この共鳴板１４は、音階板１２ｂの振動に共鳴して音を拡声し、更にその振動を板目１４ａの方向に伝える。このような共鳴板１４の振動は、共鳴室１６内に伝わると同時にその端面板１６ｂ、側端面板１６ｃ及び正面板１６ａの板目１６ｈ，１６ｇ，１６ｆに沿って伝わることになる。この結果、共鳴室１６全体に振動が伝わって音を更に共鳴拡声することになる。上記のように共鳴板１４及び共鳴室１６により共鳴拡声された音は、共鳴室１６の直前にある音孔６から時計筐体２の外部に放音される。
【００２０】
上記のように放音される音は、共鳴板１４と共鳴室１６により共鳴拡声されると共に、共鳴室１６の直前にある音孔６から放出されるため、高い音圧となり、目覚し時計のアラーム音として使用可能なものとなる。
【００２１】
また、共鳴板１４から共鳴室１６に振動が伝わるときに、共鳴板１４の板目１４ａと端面板１６ｂの板目１６ｈが連続し、また、端面板１６ｂの板目１６ｈと正面板１６ａの板目１６ｆが連続し、更に、共鳴板１４の板目１４ａと側端面板１６ｃ及び正面板１６ａの板目１６ｇ，１６ｆが同一方向を向いているため、共鳴板１４の振動が無理なく一定の方向（図４における上下方向）に伝わって共鳴することになる。このため、音量だけでなく、音質も向上することになる。
【００２２】
尚、図１及び図２においては、時計筐体２の音孔６が、共鳴室１６の正面板１６ａに対面するように構成されているが、音孔６の位置を下げて、共鳴室１６の開口部１６ｅが音孔６に対面するように対向配置しても高い音圧で放音することができる。
【００２３】
図７及び図８はオルゴール１２の取付位置と共鳴室１６の構成を一部変更した例を示すオルゴールユニット１０の断面図である。図７に示す変更例では、オルゴールユニット１２を共鳴板１４の正面１４ｃ上に取り付けて、共鳴室１６内にオルゴール１２の一部が入り込むように構成している。このようにオルゴール１２を共鳴板１４に取り付けることにより、オルゴールユニット１０の厚み（図中左右方向の寸法）を削減し、より小型化を図ることが可能となる。また、図８に示す変更例では、更に共鳴室１６の正面板１６ａと側端面板１６ｃを延長し、共鳴板１４の前面をほぼ覆うように共鳴室１６を形成している。このように共鳴室１６を形成すると、共鳴板１４を含めて筐体状をなすが、オルゴール１２を共鳴室１６内に配置することによりオルゴールユニット１０の厚みに関しては図７に示すものと同様に削減することが可能となっている。
【００２４】
【発明の効果】
本発明によれば、オルゴールを共鳴板に取り付け、また共鳴板に共鳴室を設け、更にその共鳴室を時計筐体の音孔近傍に配置しているので、共鳴板を大きくしなくても十分な音圧の音を発生させることができる。このため、オルゴールが発する音をアラーム音とする小型の目覚し時計を提供することができる。
【図面の簡単な説明】
【図１】本発明の一実施例に係るオルゴール付時計の要部拡大断面図である。
【図２】図１におけるオルゴール付時計の外観斜視図である。
【図３】図１に示すオルゴールユニットの背面図である。
【図４】図１に示す共鳴板と共鳴室の正面図である。
【図５】図４に示す共鳴板と共鳴室の底面図である。
【図６】図４に示す共鳴板と共鳴室の縦断面図である。
【図７】オルゴールの取付位置と共鳴室の構成を一部変更した例を示すオルゴールユニットの断面図である。
【図８】オルゴールの取付位置と共鳴室の構成を一部変更した他の例を示すオルゴールユニットの断面図である。
【符号の説明】
２            時計筐体
６            音孔
１０          オルゴールユニット
１２          オルゴール
１４          共鳴板
１６          共鳴室
【図１】
0003648118.tif 000002
【図２】
0003648118.tif 000003
【図３】
0003648118.tif 000004
【図４】
0003648118.tif 000005
【図５】
0003648118.tif 000006
【図６】
0003648118.tif 000007
【図７】
0003648118.tif 000008
【図８】
0003648118.tif 000009